(57)【特許請求の範囲】
【請求項１】
ノック操作部復帰作動用のテーパ状面およびこれに続く内容物吐出作動用の段部からなる凸状部分が外周面軸方向に複数形成されたロッド状部材と、当該段部に対する係合部を備えた筒状部材との協働作用により、
ノック操作時には、当該ロッド状部材および当該筒状部材が当該係合部と第１の当該段部との係合状態で吐出孔の側の前方向へ移動するとともに、当該吐出孔にいたる内容物貯留空間の画定用として容器内部に設けられたシール部材を同じく前方向に連動させ、
ノック操作解除時には、ノック操作部が弾性体の作用でノック操作前の原位置に復帰し、かつ、当該復帰の際に当該シール部材が容器内周面との摩擦力でノック操作解除前の元の位置に残されたまま、当該筒状部材または当該ロッド状部材が、当該筒状部材と当該テーパ状面との間の案内作用に基づいて移動することにより、当該係合部が第２の当該段部との対応位置までシフトするノック式の内容物吐出機構において、
前記ノック操作部は、
容器に対して回動可能な形で設けられ、かつ、当該ノック操作部の前方向へのストロークをその回動位置に応じて異なる長さに設定するための第１の移動量規定部が形成された操作部材であり、
前記操作部材の第１の移動量規定部に対応する第２の移動量規定部が形成された操作部材受け部を備え、
前記ロッド状部材は、
前記凸状部分のそれぞれが前記外周面軸方向の列ごとに飛び飛びの形で配され、かつ、任意の当該列の前記段部の周方向隣部分に前記テーパ状面が形成されたものである、
ことを特徴とするノック式の内容物吐出機構。
【請求項２】
請求項１に記載の内容物吐出機構を備えて、内容物を収納した、
ことを特徴とするノック式ディスペンサー。
【発明の詳細な説明】
【技術分野】
【０００１】
本発明は、ノック式ディスペンサーで用いられる内容物吐出機構などに関し、特に１回のノック操作によって吐出される内容物（原液）の量を変えることができ、また、容器の内容物収納部分をカートリッジ化したものである。
【０００２】
なお、本明細書では必要に応じて、後述のノック式ディスペンサーの内容物吐出用孔部の方である図面下側を「前」と記し、操作ボタンの方である図面上側を「後」と記す。
【背景技術】
【０００３】
従来、乳液やゼリー状液体などの内容物を収納した容器において、そのノック操作で内容物収納部のプランジャを移動させことにより定量の内容物が吐出され、当該ノック操作を解除した際にはプランジャが当該解除前の位置に保持されたままでノック操作部が初期位置に復帰する態様のものが提案されている。（特許文献１参照）。
【特許文献１】特開平５−１３９４６７号公報
【発明の開示】
【発明が解決しようとする課題】
【０００４】
以上の内容物定量吐出タイプの容器は、１回のノック操作で吐出される内容物の量を変更することができず、また、内容物の補充・交換作業を簡単に行なうことができないなどの点で、利便性にかけている。
【０００５】
そこで本発明では、ノック操作部の移動ストロークに応じた量の内容物が吐出される内容物吐出機構において、当該操作部を回動可能な形で設け、その回動位置に対応する移動ストロークが異なるようにして、１回のノック操作で吐出される内容物量の選択化を図ることを目的とする。
【０００６】
また、上記内容物吐出機構において、内容物貯留空間画定用のシール部材が収容される容器前側部分（吐出孔側部分）を、当該シール部材の駆動要素が収容された容器後側部分（ノック操作部側部分）とは別ユニットのカートリッジ形状にして、内容物の補充・交換作業の簡単化を図ることを目的とする。
【課題を解決するための手段】
【０００７】
本発明は、以上の課題を次のノック式の内容物吐出機構を用いて解決する。
（１）ノック操作部復帰作動用のテーパ状面（例えば後述の第一の上広がりテーパ面５ａ，５ａ’，第二の上広がりテーパ面５ｃ，５ｃ’，第一の下広がりテーパ面１１ａ，１１ａ’，第二の下広がりテーパ面１１ｃ，１１ｃ’，上広がりテーパ面２５ｂ）およびこれに続く内容物吐出作動用の段部（例えば後述の第一の直交段部５ｂ，５ｂ’，１１ｂ，１１ｂ’，第二の直交段部５ｄ，５ｄ’，１１ｄ，１１ｄ’，急斜面状段部２５ｂ）からなる凸状部分が外周面軸方向に複数形成されたロッド状部材（例えば後述のシャフト５，２５，棒状繰出し部材１１）と、当該段部に対する係合部を備えた筒状部材（例えば後述の筒状繰出し部材６，２６，中間伝達部材１２）との協働作用により、
ノック操作時には、当該ロッド状部材および当該筒状部材が当該係合部と第１の当該段部（例えば後述の第一の直交段部５ｂ，１１ｂ，第１の急斜面状段部２５ｂ）との係合状態で吐出孔（例えば後述の孔部２ａ，２３ｂ）の側の前方向へ移動するとともに、当該吐出孔にいたる内容物貯留空間（例えば後述の貯留空間Ａ）の画定用として容器内部に設けられたシール部材（例えば後述のシール部材３，１３，２４）を同じく前方向に連動させ、
ノック操作解除時には、ノック操作部が弾性体（例えば後述のコイルスプリング８）の作用でノック操作前の原位置（例えば図２(b)，図３(b)の位置）に復帰し、かつ、当該復帰の際に当該シール部材が容器内周面との摩擦力でノック操作解除前の元の位置に残されたまま、当該筒状部材または当該ロッド状部材が、当該筒状部材と当該テーパ状面との間の案内作用に基づいて移動することにより、当該係合部が第２の当該段部（例えば後述の第一の直交段部５ｂ’，１１ｂ’，第二の直交段部５ｄ，１１ｄ，第２の急斜面状段部２５ｂ）との対応位置までシフトするノック式の内容物吐出機構において、
前記ノック操作部は、
容器に対して回動可能な形で設けられ、かつ、当該ノック操作部の前方向へのストロークをその回動位置に応じて異なる長さに設定するための第１の移動量規定部（例えば後述の外側筒状部４ｂ，切欠部４ｃ）が形成された操作部材であり、
前記操作部材の第１の移動量規定部に対応する第２の移動量規定部（例えば後述の上段部分９ｂ，１４ｂ，２１ｂ）が形成された操作部材受け部（例えば後述のカラーリング９，１４，後軸筒２１）を備え、
前記ロッド状部材は、
前記凸状部分のそれぞれが前記外周面軸方向の列ごとに飛び飛びの形で配され、かつ、任意の当該列の前記段部（例えば後述の第一の直交段部５ｂ，５ｂ’，１１ｂ，１１ｂ’，第二の直交段部５ｄ，１１ｄ）の周方向隣部分に前記テーパ状面（例えば後述の第二の上広がりテーパ面５ｃ，５ｃ’，第二の下広がりテーパ面１１ｃ，１１ｃ’，第一の上広がりテーパ面５ａ’，第一の下広がりテーパ面１１ａ’）が形成された、
ものにする。
【０００８】
本発明は、このような構成からなるノック式の内容物吐出機構および、この内容物吐出機構を備えたノック式ディスペンサーを対象としている。
【発明の効果】
【０００９】
本発明は、このように内容物吐出機構のノック操作部を回動可能な形で設け、その回動位置に対応する当該操作部の移動ストロークが異なるようにしているので、１回のノック操作で吐出される内容物量を選択することができる。
【００１０】
また、内容物吐出機構の内容物貯留空間を画定するシール部材が収容される容器前側部分（吐出孔側部分）を、当該シール部材の駆動要素が収容された容器後側部分（ノック操作部側部分）とは別ユニットのカートリッジ形状にしているので、内容物の補充・交換作業の簡単化を図ることができる。
【発明を実施するための最良の形態】
【００１１】
図１乃至図６を用いて本発明を実施するための最良の形態を説明する。
【００１２】
ここで、
図１は、外周面軸方向に凸状部（＝軸方向の上広がりテーパ面＋これに続く直交段部）が飛び飛びに形成されたシャフトを内容物貯留空間画定用のシール部材と一体化させたノック式ディスペンサー（タイプ１）の多量モードの初期状態を示し、
図２は、図１のノック式ディスペンサーの、(a)ノック操作時および(b)ノック操作解除時を示し、
図３は、図１のノック式ディスペンサーを操作ボタンの回動操作で少量モードに設定した場合を示し、
図４は、図１のシャフトを拡大した状態を示し、
図５は、外周面軸方向に凸状部（＝軸方向の下広がりテーパ面＋これに続く直交段部）が飛び飛びに形成されたシャフトをノック式の操作ボタンと一体化させたノック式ディスペンサー（タイプ２）の多量モードの初期状態を示し、
図６は、内容物貯留空間側の軸筒部分をカートリッジ化したノック式ディスペンサーを示している。
【００１３】
以下のアルファベット付き参照番号の構成要素（例えば前端側筒状部１ａ）は原則として当該参照番号の数字部分の構成要素（例えば軸筒１）の一部であることを示している。
【００１４】
図１〜図６において、
１は内部空間域に後述の各種内容物を収納し、また内容物吐出機構の各構成要素が収容される軸筒（シリンダ），
１ａは当該軸筒の下側開口部に形成されて内周面部分が後述のヘッド２と嵌合し、また外周面部分が後述のキャップ１０と嵌合する前端側筒状部，
２は軸筒１の前端側筒状部１ａの内周面と嵌合する筒状のヘッド，
２ａは当該ヘッドの前端部分に形成された内容物吐出用の孔部，
３は軸筒１の中にその内周面と密接する態様により配設されて、当該軸筒およびヘッド２との間に内容物貯留空間を設定するシール部材，
３ａは当該シール部材の中央上端側に形成されて後述のシャフト５の前端側部分と嵌合する凹状部，
３ｂは軸筒１の内周面と密接する上側の逆スカート部，
３ｃは軸筒１の内周面と密接する下側のスカート部，
４はノック操作および回動操作が可能な操作ボタン，
４ａは当該操作ボタンの天井面中央部に形成されて後述の連結部材７（図１，図２，図３，図６参照）および後述の棒状繰出し部材１１（図５参照）の各上端部分と嵌合する筒状の垂下部，
４ｂは後述のカラーリング９の上段部分９ｂとの係合状態（組合せ）の違いにより当該操作ボタンのノック操作時の移動ストロークを切り換える機能を備えた外側筒状部，
４ｃは当該外側筒状部の下端側の一部分に、端面位置が図示上方に後退する態様で形成された切欠部，
５はシール部材３の鞘状部内周面と嵌合して、外周面には、操作ボタン４側への上広がりテーパ面とこれに続く（軸方向との）直交段部とからなる複数の凸状部が飛び飛びの態様で軸方向に形成されたシャフト，
５ａ，５ａ’などは当該凸状部の構成要素であって、シャフト外周面の相対する一対の第一の軸方向部分（シャフト外周面をその周方向に略四等分した場合の一つおきの各エリア部分）のそれぞれに形成された第一の上広がりテーパ面，
５ｂ，５ｂ’などは当該凸状部の構成要素であって、当該第一の上広がりテーパ面の上端から続く第一の直交段部，
５ｃ，５ｃ’などは当該凸状部の構成要素であって、シャフト外周面の残り一対の第二の軸方向部分に、当該第一の直交段部から周方向の隣となる位置態様で形成された第二の上広がりテーパ面，
５ｄ，５ｄ’などは当該凸状部の構成要素であって、当該第二の上広がりテーパ面の上端から続く第二の直交段部，
６は操作ボタン４のノック操作にともなってシャフト５およびこれと一体のシール部材３をヘッド２の側（図示下方向）に駆動する筒状繰出し部材，
６ａはノック操作時に前端部分がシャフト５の直交段部５ｂ，５ｂ’，５ｄ，５ｄ’などに係止した状態で当該シャフトを前進させ、また、ノック操作解除時に内周面部分が当該シャフトの上広がりテーパ面５ａ，５ａ’，５ｃ，５ｃ’などに案内されながら図２(b)，図３(b)の原位置に復帰する筒状テーパ部，
７は操作ボタン４の鞘状部内周面および筒状繰出し部材６の図示上側の開口部内周面とそれぞれ嵌合して両者を一体化する連結部材，
７ａは当該連結部材の下側部分に形成された環鍔状部，
８は操作ボタン４を図示上方向に付勢するためのコイルスプリング，
９は軸筒１の図示上側の開口部内周面と嵌合して底面部分でコイルスプリング８を受け、連結部材７の上限位置（原位置）を画定し、また操作ボタン４の回動操作およびノック操作の際の案内部として作用するとともにノック操作時の操作ボタン移動ストロークを規定するカラーリング，
９ａは当該カラーリングの内周面に形成された環状の下段部分，
９ｂは当該下段部分の一部から上方に延びる態様でカラーリング内周面に形成された上段部分，
１０は軸筒１の図示下側の前端側筒状部１ａの外周面と係合して着脱自在なキャップ，
１０ａは当該キャップの内面中央部分に形成されてヘッド２の孔部２ａを閉じるための突状部，
Ａは軸筒１，ヘッド２およびシール部材３で画定され、ノック操作にともなう当該シール部材の図示下方向への移動に応じて容積が減少する内容物収納用の貯留空間，
Ｓは前端側筒状部１ａ以外の軸筒部分での軸方向と直交する方向の軸筒内側断面積，
Ｌ１は多量モードにおける操作ボタン４の移動ストローク，
Ｌ２（＝Ｌ１／２）は少量モードにおける操作ボタン４の移動ストローク，
をそれぞれ示している。
【００１５】
ここで、シャフト５の外周面は図４で明示されるように、
(11)第一の直交段部５ｂ，５ｂ’などの隣列（第二の軸方向部分）の直横には第二の上広がりテーパ面５ｃ，５ｃ’などが形成され、
(12)第二の直交段部５ｄ，５ｄ’などの隣列（第一の軸方向部分）の直横には第一の上広がりテーパ面５ａ，５ａ’が形成され、
(13)第一，第二の各直交段部からその直上の上広がりテーパ面の開始域までの間は同一径の周面部分となっている。
【００１６】
すなわち相対する一対の直交段部（例えば５ｂ，５ｂ）同士の間には隣列（例えば第二の軸方向部分）の一対の上広がりテーパ面（例えば５ｃ，５ｃ）が形成されている。そして各直交段部の直上部分は上記(13)の同一径エリアになっている。
【００１７】
ノック操作の解除にともない、コイルスプリング８の弾性復帰作用により筒状繰出し部材６がその係合相手である例えば第一の直交段部５ｂからシャフト５に沿って上方向に後退する。このとき、筒状繰出し部材６の筒状テーパ部６ａはシャフト５の第二の上広がりテーパ面５ｃに案内されながら自らの弾性に抗する形で外方に広がる。
【００１８】
そして、この一対の上広がりテーパ面５ｃ，５ｃの間の部分（＝同一径の外周面部分）が当該テーパ面よりも凹んでいるため、筒状テーパ部６ａの外方への広がり程度は、当該テーパ面がシャフト５の周方向の全体に形成されている場合よりも小さくてすむ。
【００１９】
第一の段部および第二の段部それぞれの軸方向隣同士（例えば段部５ｂと５ｂ’や段部５ｄと５ｄ’）の各ピッチは略Ｌ１であり、また、第一の段部と第二の段部との全体における軸方向隣同士（例えば段部５ｂと５ｄ，段部５ｄと５ｂ’や段部５ｂ’と５ｄ’）の各ピッチは略Ｌ２である。すなわち、シャフト５の外周面にはその軸方向に略Ｌ２（Ｌ１／２）の間隔で段部が形成されている。
【００２０】
図１は、操作ボタン４の移動ストロークが「大」に設定された多量モードの初期状態を示している。
【００２１】
このとき、
(21)貯留空間Ａには例えば乳液やゼリー状の内容物が一杯に収納され、
(22)シール部材３およびシャフト５の一体物がその上限位置、すなわち環鍔状部７ａ（連結部材７）の上面部がカラーリング９の底下面に当接し、かつ、連結部材７の下面部にシャフト５の上端面が当接した状態の上限位置にあり、
(23)筒状テーパ部６ａの下端部がシャフト４の最も下の第一の直交段部５ｂと係合し、
(24)操作ボタン４の切欠部４ｃがカラーリング９の上段部分９ｂの周方向全体にわたってその上方に位置する、すなわち操作ボタン４を押下げたときにはその切欠部４ｃの中にカラーリング９の上段部分９ｂの周方向全体が入り込める、
ようになっている。
【００２２】
なお、図１の初期状態においてシャフト５の上端面が連結部材７の下面部に当接するように設定するかどうかは任意である。当該上端面と当該下面部とが離間するように設定してもよい。
【００２３】
図１のノック式ディスペンサーのキャップ１０をヘッド２から取り外して操作ボタン４のノック操作が行なわれると、図２(a)に示すように、
(31)操作ボタン４と一体の連結部材７および筒状繰出し部材６が下方に移動し、
(32)筒状繰出し部材６の移動にともなう筒状テーパ部６ａの下端部分（第一の直交段部５ｂとの係合部分）の押下げ作用により、シャフト５およびこれと一体のシール部材３が下方に駆動され、
(33)シール部材３の下方への移動にともなって貯留空間Ａの内容物がヘッド２の孔部２ａから吐出される。
【００２４】
このノック操作時における操作ボタン４の移動ストローク（＝シール部材３の移動ストローク）は操作ボタン４の初期位置からその切欠部４ｃがカラーリング９の上段部分９ｂに当接するまでの所定長Ｌ１である。
【００２５】
そのため一回のノック操作によって「Ｌ１×Ｓ」に応じた定量の内容物がヘッド２の孔部２ａから取り出される。
【００２６】
図２(b)は、図２(a)のノック操作が解除された状態を示している。
【００２７】
すなわち図２(a)のノック操作が解除されるのにともなって、操作ボタン４，連結部材７および筒状繰出し部材６の一体物はコイルスプリング８の弾性力で上方向に移動し、図２(b)の原位置に復帰する。
【００２８】
一方、先のノック操作により長さＬ１だけ下方向に移動したシール部材３およびシャフト５の一体物は、シール部材３の逆スカート部３ｂおよびスカート部３ｃのそれぞれと軸筒１の内周面との摺動抵抗（摩擦力）によって、当該移動後の図２(a)と略同じ位置にとどまる。
【００２９】
そして図２(a)の繰出し部材６が図２(b)の原位置へ復帰する過程において、
その筒状テーパ部６ａは、軸筒１にいわば固定状態のシャフト５に対し、
(41)先ず、当該筒状テーパ部の先端側内周面が、復帰前の係合相手である第一の直交段部５ｂの隣列（第二の軸方向部分）の第二の上広がりテーパ面５ｃに案内されながら、自らの弾性力に抗していくらか広がる態様で変形し、
(42)次に、自らの弾性復帰作用により当該筒状テーパ部の先端側内周面が、第二の上広がりテーパ面５ｃに続く第二の段部５ｄに入り込むとともに、隣列（第一の軸方向部分）の第一の上広がりテーパ面５ａ’に当接し、
(43)次に、上記(41)と同じように当該筒状テーパ部の先端側内周面が、第一の上広がりテーパ面５ａ’に案内されながら、自らの弾性力に抗していくらか広がる態様で変形し、
(44)次に、上記(42)と同じように自らの弾性復帰作用により、第一の上広がりテーパ面５ａ’に続く第一の段部５ｂ’に当該筒状テーパ部の先端部が当接し、また、当該第一の段部の隣列（第二の軸方向部分）の第二の上広がりテーパ面５ｃ’に当該筒状テーパ部の先端側内周面が当接する、
ことになる（図４参照）。
【００３０】
ノック操作解除後は、このように筒状繰出し部材６がＬ１の長さを弾性復帰することにより図２(b)の原位置に移行して次のノック操作に備える。
【００３１】
すなわち操作ボタン４がノック操作によってＬ１の長さ分だけ前方向に移動するごとに、シャフト５およびこれと一体のシール部材３が筒状繰出し部材６で駆動され、貯留空間Ａの内容物が「Ｌ１×Ｓ」の定量分だけ孔部２ａから吐出される。
【００３２】
図３は、図２の吐出量の半分を出力させる少量モードを示している。(a)は図１の操作ボタン４を１８０度ほど回動させてからノック操作をすることにより少量の内容物（図２の半分）が吐出された状態であり、(b)はノック操作解除後の原状態である。
【００３３】
図１の操作ボタン４を１８０度ほど回動させた状態では、当該操作ボタンの外側筒状部４ｂの切欠部なしの下端部分がカラーリング９の上段部分９ｂに対向する。なお、図１の場合は操作ボタン４の切欠部４ｃが上段部分９ｂに対向している。
【００３４】
操作ボタン４の回動操作の際、これと強く結合している連結部材７および筒状繰出し部材６も当該操作ボタンと一体になって回動する。そして、筒状繰出し部材６（筒状テーパ部６ａ）の前端部や前端側内周面部分などがシャフト５の外周面との間でいわば空回りする。
【００３５】
上述したように図３(a)の操作ボタン４は、外側筒状部４ｂの切欠部なしの下端部分がカラーリング９の上段部分９ｂに対向し、その間隔はＬ２（≒Ｌ１／２）となっている。すなわちノック操作にともなう操作ボタン４の最大移動ストロークはＬ２である。
【００３６】
図３(a)のノック操作にともなってシール部材３はＬ２だけ下方に移動し、ヘッド２の孔部２ａからは略「Ｌ２×Ｓ」の量の内容物が吐出される。
【００３７】
図３(a)のノック操作が解除されると、操作ボタン４，連結部材７および筒状繰出し部材６の一体物は、図２の場合と同様にその筒状テーパ部６ａがシャフト５の外周面に案内されながらＬ２だけ後退して図３(b)の原位置に復帰する。
【００３８】
また、シール部材３およびシャフト５の一体物は、当該シール部材の逆スカート部３ｂおよびスカート部３ｃのそれぞれと軸筒１の内周面との摺動抵抗（摩擦力）によって、ノック操作後の図３(a)と略同じ位置にとどまる。
【００３９】
すなわち図３の少量モードの場合、ノック操作のたびにシール部材３はＬ２だけ順次下がってその位置にとどまる。
【００４０】
そして、ノック操作解除時の操作ボタン４および筒状繰出し部材６の原位置への復帰にともない、筒状テーパ部６ａの係合対象はノック操作時の直交段部からその隣列直上のＬ２の長さだけ軸方向に離れた別の直交段部へ、例えば第一の直交段部５ｂから第二の直交段部５ｄへと移行する（図４参照）。
【００４１】
図５のノック式ディスペンサーは、操作ボタン側の繰出し用の構成要素を操作ボタンと棒状繰出し部材との二部材にしたものである。
【００４２】
図５で新たに用いる参照番号は１１〜１４であって、
１１は操作ボタン４の垂下部４ａと嵌合して、外周面の軸方向に、下広がりテーパ部とこれに続く段部とからなる凸状部が飛び飛びの態様で形成された棒状繰出し部材，
１１ａ，１１ａ’などは当該凸状部の構成要素であって、棒状繰出し部材外周面の相対する第一の軸方向部分（棒状繰出し部材外周面をその周方向に略四等分した場合の一つおきの各エリア部分）のそれぞれに形成された第一の下広がりテーパ面，
１１ｂ，１１ｂ’などは当該凸状部の構成要素であって、当該第一の下広がりテーパ面の下端から続く第一の直交段部，
１１ｃ，１１ｃ’などは当該凸状部の構成要素であって、棒状繰出し部材外周面の相対する残り一対の第二の軸方向部分に、当該第一の直交段部から周方向の隣となる位置態様で形成された第二の下広がりテーパ面，
１１ｄ，１１ｄ’などは当該凸状部の構成要素であって、当該第二の下広がりテーパ面の下端から続く第二の直交段部，
１２は操作ボタン４のノック操作時に棒状繰出し部材１１（段部１１ｂ，１１ｄなど）の押下げ作用によって下方に駆動される筒状の中間伝達部材，
１２ａは当該ノック操作時に後端部が棒状繰出し部材１１の段部１１ｂ，１１ｄなどと係合する筒状逆テーパ部，
１３は軸筒１の中にその内周面と密接する態様で配設されて、当該軸筒およびヘッド２との間に内容物貯留空間を設定するシール部材，
１３ａは中間伝達部材１２の下端側内周面と嵌合してその下端部分を受ける環溝状部，
１３ｂは当該シール部材の中央に形成されて、貯留空間Ａの内容物がまだ十分残っている使用初期段階の棒状繰出し部材１１の下端側部分を収容する鞘状部，
１３ｃは軸筒１の内周面と密接する上側の逆スカート部，
１３ｄは軸筒１の内周面と密接する下側のスカート部，
１４は軸筒１の図示上側の開口部内周面と嵌合して底面部分でコイルスプリング８を受け、棒状繰出し部材１１の上限位置（原位置）を画定し、また操作ボタン４の回動操作およびノック操作の際の案内部として作用するとともにノック操作時の操作ボタン移動ストロークを規定するカラーリング，
１４ａは当該カラーリングの内周面に形成された環状の下段部分，
１４ｂは当該下段部分の一部から上方に延びる態様でカラーリング内周面に形成された上段部分，
１４ｃは中間伝達部材１２の上限位置（ノック式ディスペンサーの販売段階などにおける位置）を規定する環状垂下部，
をそれぞれ示している。なお、第一の直交段部および第二の直交段部それぞれの直下部分は同一径の外周面からなっている。
【００４３】
図５のノック式ディスペンサーの場合、操作ボタン４の中央筒状の垂下部４ａに棒状繰出し部材１１が嵌合し、その周りに筒状の中間伝達部材１２およびこれと一体で鞘状のシール部材１３が設けられている。
【００４４】
操作ボタン４のノック操作時、図示の多量モードにおいては、当該操作ボタンおよび棒状繰出し部材１１がＬだけ下方に移動する。
【００４５】
この棒状繰出し部材１１の移動にともない、その直交段部１１ｂが中間伝達部材１２の筒状逆テーパ部１２ａを下方に駆動してシール部材１３も略Ｌ１だけヘッド２の方に移動する。そして、この移動分に応じた略「Ｌ１×Ｓ」の量の内容物が当該ヘッドの孔部２ａから吐出する。
【００４６】
操作ボタン４のノック操作の解除により、当該操作ボタンがコイルスプリング８の作用で上方に移動してその原位置に復帰する。
【００４７】
このとき、図１〜図４のノック式ディスペンサーの場合と同じように、
(51)中間伝達部材１２およびシール部材１３の一体物は、ノック操作後のＬだけ移動した位置に、逆スカート部１３ｃおよびスカート部１３ｄの軸筒内周面に対する摺動抵抗（摩擦作用）によりとどまり、
(52)中間伝達部材１２は、その筒状逆テーパ部１２ａが復帰中の棒状繰出し部材１１の第一の下広がりテーパ部１１ａと当接して自らの弾性に抗する形で外方に広がり、
(53)筒状逆テーパ部１２ａの上端部分は、先のノック操作時の係合相手であった段部１１ｂと同列でＬだけ離れた位置で直下の段部１１ｂ’に対向または当接する。
【００４８】
また、図５の状態の操作ボタン４を略１８０度だけ回動させた上でノック操作すると、ノック式ディスペンサーは図３と同様の少量モードとして作動する。
【００４９】
すなわち、図５の未使用初期状態で操作ボタン４略１８０度だけを回動させてからノック操作することにより、
(61)操作ボタン４および棒状繰出し部材１１の一体物が下方に距離Ｌ２だけ移動し、
(62)この移動にともなって中間伝達部材１２の筒状逆テーパ部１２ａが棒状繰出し部材１１の第一の段部１１ｂで下方に駆動され、
(63)この駆動にともなってシール部材１３も下方に距離Ｌ２だけ移動し、
(64)この移動分に相当する「Ｌ２×Ｓ」の量の内容物が貯留空間Ａから孔部２ａを介して吐出される。
【００５０】
そしてノック操作を解除すると、図５の多量モードの場合と同じようにコイルスプリング１４の作用で操作ボタン４および棒状繰出し部材１１が原位置に復帰する。なお、中間伝達部材１２およびシール部材１３は上述したように先のノック操作後の位置に保持されたままである。
【００５１】
この棒状繰出し部材１１の原位置への復帰後、中間伝達部材１２（筒状逆テーパ部１２ａ）の上端部分は当該棒状繰出し部材の第二の直交段部１１ｄと対向，当接しており、次のノック操作時には当該直交段部が筒状逆テーパ部１２ａへの駆動元段部となる。なお、第二の直交段部１１ｄは先の駆動元直交段部１１ｂの隣列でその直ぐ下の位置に形成された直交段部である。
【００５２】
図６のノック式ディスペンサーは、図１の軸筒下側部分，シール部材およびヘッドからなる内容物収納用の貯留空間Ａの部分をカートリッジ形状にしたものである。
【００５３】
図６で新たに用いる参照番号は２１〜２６であって、
２１は軸筒１の上側部分とカラーリング９を一体成形した態様の後軸筒，
２１ａは当該後軸筒の上端側内周面に形成された環状の下段部分（＝下段部分９ａ）
２１ｂは当該下段部分の一部から上方に延びる態様でカラーリング内周面に形成された上段部分（＝上段部分９ｂ），
２２は軸筒１の下側部分に相当して後軸筒２１と着脱可能な形（アンダーカット，ネジ）で嵌合する前軸筒，
２２ａは当該前軸筒の下側開口部に小径態様により形成されて内周面部分で後述のカートリッジ本体２３と係合し、また外周面部分でキャップ１０と係合する下端側筒状部，
２２ｂは当該下端側筒状部の始まり部分に形成された内側段部，
２２ｃは当該下端側筒状部の始まり部分に形成されてキャップ１０の開口側環状端部を保持する外側段部，
２３は後軸筒２１の下端部分と前軸筒２２の内側段部２２ｂとの間に上側大径部分が保持される筒状のカートリッジ本体，
２３ａは前軸筒２２の内側段部２２ｂに保持される外周面段部，
２３ｂは当該カートリッジ本体の下端部分に形成された内容物吐出用の孔部，
２４はカートリッジ本体２３の中にその内周面と密接する態様により配設されて、当該カートリッジ本体との間で内容物貯留空間を設定するシール部材（≒シール部材３），
２４ａはテーパ面状の入口部分からなるシャフト嵌合用の開口部，
２４ｂはカートリッジ本体２３の内周面と密接する上側の逆スカート部，
２４ｃはカートリッジ本体２３の内周面と密接する下側のスカート部，
２５はシール部材２４の開口部２４ａの内周面と着脱可能な形で嵌合して、自外周面の軸方向に、操作ボタン４側への下広がりの急斜面状段部とこれに続く上広がりテーパ面とが順次形成されたシャフト，
２５ａは当該シャフトの外周面軸方向に形成された下広がりで環状の急斜面状段部，
２５ｂは当該急斜面状段部に続く態様で外周面軸方向に形成された環状の上広がりテーパ面、
２５ｃは当該シャフトの上端部分に形成されて、カートリッジ交換時に当該シャフトが抜けてしまうのを防止するための環状鍔部，
２６は連結部材７と嵌合し、ノック操作にともなってシャフト２５およびこれと一体のシール部材２４をヘッド２の側に駆動する筒状繰出し部材（≒筒状繰出し部材６），
２６ａはその下端部分がシャフト２５の急斜面状段部２５ａに対応する斜面として形成され、ノック操作時には当該斜面が当該急斜面状段部を押圧して下方に駆動し、ノック操作解除後はコイルスプリング８の弾性復帰作用によりシャフト２５の上広がりテーパ面２５ｂに案内されながら上方向に後退する筒状テーパ部（≒筒状テーパ部６ａ），
をそれぞれ示している。
【００５４】
図６のカートリッジタイプのノック式ディスペンサーの多量モードおよび少量モードのそれぞれにおける内容物吐出の動作自体は図１〜図４のそれと同じである。
【００５５】
なお、急斜面状段部２５ａの設定ピッチはＬ２であり、少量モードの操作ボタン４の移動ストロークに設定されている。そのため、多量モードにおける筒状繰出し部材２６は、ノック操作解除にともなって、ノック操作時の係合相手（急斜面状段部）の二つ上の位置にある急斜面状段部のところまで後退する。
【００５６】
ここで、シャフト２５に（図１〜図４で使用の、シャフト５の軸方向に直交する形の直交段部５ｂ，５ｄなどではなく）急斜面状段部２５ａを設けているのは、カートリッジを交換する際、それまでの使用により筒状テーパ部２６ａから飛び出ている当該シャフトを筒状繰出し部材２６の中に戻して図６の原位置に設定するためである。
【００５７】
使用済みのカートリッジを取り替える際は、先ず前軸筒２２を後軸筒２１に対して図示下方向に取り外す。すなわち前軸筒２２と後軸筒２１との嵌合状態を解除して当該前軸筒を当該後軸筒から取り外す。
【００５８】
ここで、前軸筒２２の内周面とカートリッジ本体２３の外周面との当接の程度を、当該前軸筒の取り外しに際して当該カートリッジ本体も一緒に抜かれるようにするかどうかは任意である。
【００５９】
いずれにしても後軸筒２１およびシャフト２５から前軸筒２２，カートリッジ本体２３およびシール部材２４を取り外し、かつ、使用済みのカートリッジ本体２３およびシール部材２４と、前軸筒２２とを分離すればよい。
【００６０】
なお、カートリッジの交換が必要となる段階では、シール部材２４が略下限位置まで移動し、シャフト２５の上側の環状鍔部２５ｃが筒状繰出し部材２６の筒状テーパ部２６ａの内周面部分に係止された状態に近い。すなわちシャフト２５はこの係止位置よりもさらに下方向に移動することができない。
【００６１】
そのためカートリッジ交換時にシール部材２４が下方向に引かれることにより、当該シール部材とシャフト２５との嵌合状態は解除される。
【００６２】
このようにして単品状態となった前軸筒２２にその図示上側の開口部から新カートリッジ（＝カートリッジ本体２３＋内容物＋シール部材２４）を装填し、この装填後の前軸筒ユニットを後軸筒２１に取り付けることにより、カートリッジの交換作業が完了する。
【００６３】
なお、カートリッジ取替えの段階で筒状繰出し部材２５の下端から略最大限に飛び出しているシャフト２５は、上述の前軸筒ユニットを後軸筒２１に取り付ける際、シール部材２４（開口部２４ａ）のテーパ面に案内されて確実に当該開口部に入り込んで連結部材７の天井面部分の方に移動して、最終的には図示の初期状態に設定される。
【００６４】
使用前の新たなカートリッジ（＝カートリッジ本体２３＋内容物＋シール部材２４）は、カートリッジ本体２３の外面段部２３ａにカートリッジ用キャップ（図示省略）を取り付けて当該キャップ天面の凸状部で孔部２３ｂが塞がれている。カートリッジを前軸筒２２に取り付ける際には勿論、当該キャップは外される。
【００６５】
上述のコイルスプリング以外の各構成要素はポリプロピレン，ポリエチレン，ポリアセタール，ナイロン，ポリブチレンテレフタレートなどの合成樹脂製のものである。コイルスプリングは金属製や合成樹脂製のものである。
【００６６】
なお、カートリッジ化されていない図１〜図５のノック式ディスペンサーの組立および内容物充填の作業工程において例えば、
(71)軸筒１にヘッド２を取り付け、
(72)その内部空間域に、当該軸筒の後端側開口部から、図１〜図４の場合のシール部材３，シャフト５，筒状繰出し部材６，連結部材７からなるユニットや、図５の場合のシール部材１３，中間伝達部材１２，棒状繰出し部材１１からなるユニットを、当該シール部材がヘッド２の内部に入り込む形で装填し、
(72)この装填後にカラーリング４，１４を軸筒１に取り付け、
(73)この取付け状態でヘッド２の孔部２ａから内容物を充填する、
などの手順をとることができる。
【００６７】
これによれば、上記(72)の各ユニット部分を軸筒内部にいわば閉じ込めた形の半製品が充填工程に移送されるので、軸筒内部の各部材が外に出てしまうようなこともなく、当該移送作業の効率化を図ることができる。
【００６８】
孔部２ａから内容物が充填されるのに応じてシール部材などの上記ユニットは上方に移動する。このとき、シール部材３，１３の上方空間域（軸筒内空間域）に入っている空気はカラーリング４，１４の中央孔部から外部に流出する。
【００６９】
そして、内容物充填の最終段階ではシャフト５および棒状繰出し部材１１が図１，図５の初期位置まで移動する。その後、操作ボタン４とコイルスプリング８を連結部材７，カラーリング９（図１参照）や棒状繰出し部材１１やカラーリング１４（図５参照）に取り付けることにより最終製品となる。
【００７０】
本発明が、図１〜図６に係るノック式ディスペンサーの内容に限定されないことは勿論である。
【００７１】
例えば、
(81)図１〜図５の上広がりテーパ面，下広がりテーパ面および直交段部のそれぞれを、シャフト５や棒状繰出し部材１１の各外周面の周方向に連続して、すなわち図６のシャフトの場合と同じように連続して形成し、そのときの直交段部の軸方向間隔を少なくとも操作ボタン４の最小移動ストローク（図示の場合はＬ２）に設定する、
(82)図６の急斜面状段部を、図１〜図５の場合と同じようにシャフト２５の外周面軸方向の列ごとにずらした形で設ける、
(83)図１〜図５の直交段部や図６の急斜面状段部の軸方向間隔を操作ボタン４の移動ストロークの１／整数分に対応させる、
(84)操作ボタン４の切欠部４ｃ代えて下方への凸状部を形成し、かつ、カラーリング９，１４や後軸筒２１の上段部分９ｂ，１４ｂ，２１ｂに代えて当該凸状部に対応した凹状部を形成する、
(85)図１〜図５の軸筒前側（内容物貯留空間側）を図６のそれと同じようにカートリッジ化する、
(86)貯留空間Ａに粘性の低い液体を収納してもノック操作以外のときは漏れ出さないように、孔部２ａ，２３ｂに貯留空間Ａからの内容物の圧力があらかじめ設定された値を超えると開放される弁（例えば中央に内容物通過用の切込の設けられたゴム部材など）を設ける、
ようにしてもよい。
【００７２】
本発明の用途は、化粧品，洗浄剤，清掃剤，制汗剤，冷却剤，筋肉消炎剤，ヘアスタイリング剤，ヘアトリートメント剤，染毛剤，育毛剤，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途である。
【００７３】
貯留空間Ａに収納される内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００７４】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００７５】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００７６】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００７７】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７８】
高分子化合物としては、メチルセルロース，ゼラチン，デンプン，カゼイン，ヒドロキシエチルセルロース，キサンタンガム，カルボキシビニルポリマーなどを用いる。
【００７９】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００８０】
さらに、上記内容物以外の、懸濁剤，紫外線吸収剤，乳化剤，保湿剤，酸化防止剤、金属イオン封鎖剤なども用いることができる。
【図面の簡単な説明】
【００８１】
【図１】外周面軸方向に凸状部（＝軸方向の上広がりテーパ面＋直交段部）が飛び飛びに形成されたシャフトを内容物貯留空間画定用のシール部材と一体化させたノック式ディスペンサー（タイプ１）の多量モードの初期状態を示す説明図である。
【図２】図１のノック式ディスペンサーのノック操作時およびノック操作解除時を示す説明図である。(a)はノック操作時、(b)はノック操作解除時を示している。
【図３】図１のノック式ディスペンサーを操作ボタンの回動操作で少量モードに設定した場合のノック操作時およびノック操作解除時を示す説明図である。(a)はノック操作時、(b)はノック操作解除時を示している。
【図４】図１のシャフトを拡大した状態を示す説明図である。
【図５】外周面軸方向に凸状部（＝軸方向の下広がりテーパ面＋直交段部）が飛び飛びに形成されたシャフトをノック式の操作ボタンと一体化させたノック式ディスペンサー（タイプ２）の多量モードの初期状態を示す説明図である。
【図６】内容物貯留空間側の軸筒部分をカートリッジ化したノック式ディスペンサーを示す説明図である。
【符号の説明】
【００８２】
１：軸筒（シリンダ）
１ａ：前端側筒状部
２：筒状のヘッド
２ａ：内容物吐出用の孔部
３：シール部材
３ａ：凹状部
３ｂ：逆スカート部
３ｃ：スカート部
４：操作ボタン
４ａ：筒状の垂下部
４ｂ：外側筒状部
４ｃ：切欠部
５：シャフト
５ａ，５ａ’：第一の上広がりテーパ面
５ｂ，５ｂ’：第一の直交段部
５ｃ，５ｃ’：第二の上広がりテーパ面
５ｄ，５ｄ’：第二の直交段部
６：筒状繰出し部材
６ａ：筒状テーパ部
７：連結部材
７ａ：環鍔状部
８：コイルスプリング
９：カラーリング
９ａ：環状の下段部分
９ｂ：上段部分
１０：キャップ
１０ａ：突状部
Ａ：内容物収納用の貯留空間
Ｓ：軸筒内側断面積，
Ｌ１：多量モードにおける操作ボタンの移動ストローク
Ｌ２：少量モードにおける操作ボタンの移動ストローク
【００８３】
（以下の参照番号１１〜１４は図５のみで使用）
１１：棒状繰出し部材
１１ａ，１１ａ’：第一の下広がりテーパ面
１１ｂ，１１ｂ’：第一の直交段部
１１ｃ，１１ｃ’：第二の下広がりテーパ面
１１ｄ，１１ｄ’：第二の直交段部
１２：筒状の中間伝達部材
１２ａ：筒状逆テーパ部
１３：シール部材
１３ａ：環溝状部
１３ｂ：鞘状部
１３ｃ：逆スカート部
１３ｄ：スカート部
１４：カラーリング
１４ａ：環状の下段部分
１４ｂ：上段部分
１４ｃ：環状垂下部
【００８４】
（以下の参照番号２１〜２６は図６のみで使用）
２１：後軸筒
２１ａ：下段部分
２１ｂ：上段部分
２２：前軸筒
２２ａ：下端側筒状部
２２ｂ：内側段部
２２ｃ：外側段部
２３：筒状のカートリッジ本体
２３ａ：外周面段部
２３ｂ：内容物吐出用の孔部
２４：シール部材
２４ａ：シャフト嵌合用の開口部
２４ｂ：逆スカート部
２４ｃ：スカート部
２５：シャフト
２５ａ：環状の急斜面状段部
２５ｂ：環状の上広がりテーパ面
２５ｃ：環状鍔部
２６：筒状繰出し部材
２６ａ：筒状テーパ部
【図１】
0005263938.tif 000002
【図２】
0005263938.tif 000003
【図３】
0005263938.tif 000004
【図４】
0005263938.tif 000005
【図５】
0005263938.tif 000006
【図６】
0005263938.tif 000007